(57)【特許請求の範囲】
【請求項１】
中詰め材を詰めた後に吊り上げて移動させるふとん籠であって、
金網パネルを複数組み合わせて形成されており、
ふとん籠の内側には棒鋼あるいは鉄線よりなる補強枠が複数配置されており、
吊り上げる際には、前記補強枠に吊り上げ部材を掛けて吊り上げる、ふとん籠。
【請求項２】
前記補強枠は、矩形の外枠と、前記外枠の上辺を構成する上辺部材及び下辺を構成する下辺部材との両方に接続されている縦部材を複数備えている、請求項１に記載されているふとん籠。
【請求項３】
前記縦部材は少なくとも３つ存している、請求項２に記載されているふとん籠。
【請求項４】
前記縦部材には、前記上辺及び下辺の中央に接続される第１縦部材と、前記上辺側の接続位置が前記下辺側の接続位置よりも前記第１縦部材から遠い位置にある２つの第２縦部材とが含まれており、
２つの前記第２縦部材の間に前記第１縦部材が存している、請求項３に記載されているふとん籠。
【請求項５】
前記補強枠の前記上辺のうち、前記外枠の側辺と前記第２縦部材との間の部分が前記吊り上げ部材が掛けられる吊られ部である、請求項４に記載されているふとん籠。
【請求項６】
前記金網パネルは溶接金網からなっている、請求項１から５のいずれか一つに記載されているふとん籠。
【発明の詳細な説明】
【技術分野】
【０００１】
本発明は、ふとん籠に関し、特に中詰め材を詰めた後に吊り上げて移動させるふとん籠に関するものである。
【背景技術】
【０００２】
従来より河川の護岸や斜面の崩落防止のために、内部に石を詰めたいわゆるふとん籠が用いられている。ふとん籠は金網を組み合わせて箱状とし、石詰めをした後に蓋を被せて形成される。
【０００３】
通常の護岸工事や道路工事等においてふとん籠を設置する場合は、設置現場においてまず金網を箱状に組み立ててそこに石を入れるという工程で工事が行われる。
【０００４】
けれども工事車両が進入できないような現地でのふとん籠の組み立てが困難な場合や土砂崩れ等の災害によって緊急にふとん籠を設置したい場合は、別の場所で組み立てから石詰めまで行って石詰めしたふとん籠を設置現場まで運び、クレーンで石詰籠を吊り上げて設置するという方法をとることにより、短時間で設置を行っている。例えば道路の脇の斜面にふとん籠を設置する場合、工事のための道路の通行止めをできるだけ短時間にしたいため、このような予め石詰めしたふとん籠を現場に運び込むという方法がとられる。また、設置現場の作業スペースが狭くてふとん籠の組み立てや石詰めが困難な場合等にも同様の方法が行われている。
【０００５】
このように石詰め後のふとん籠を吊り上げて移動させて設置する場合、一般的なふとん籠を用いると吊り上げによってふとん籠が変形してしまい、土留めや護岸、崩落防止という機能が損なわれてしまうため、ふとん籠に様々な工夫がなされてきた（例えば特許文献１〜４）。
【先行技術文献】
【特許文献】
【０００６】
【特許文献１】特開平１１−８１２７０号公報
【特許文献２】特開平９−３０２６４１号公報
【特許文献３】特開２００７−７１００７号公報
【特許文献４】特開平７−２３８５２１号公報
【発明の概要】
【発明が解決しようとする課題】
【０００７】
しかしながら、特許文献１〜４に開示されている技術には種々の問題がある。例えば特許文献１に開示されている技術は、側面網と内部に設置される仕切り網とをコンクリートの矩形枠に張設するふとん籠であるが、剛性を保つためのコンクリートの矩形枠が非常に重くなって運搬、組み立て及び設置工事に支障を来たし、また吊り上げる際に側面網と仕切り網との間の網部分が垂れ下がる塑性変形を防止することが非常に困難である。特許文献２に開示されている技術では、底部材にたわみを生じない剛性部材を使用しているが、これにより籠が非常に重くなり運搬、組み立て及び工事に支障を来たし、また籠のコストが増大する。特許文献３に開示されている技術は、底部分にコンクリート流し込んで底部分の詰め込んだ石を一体化するのであるが、コンクリートを流し込んで固めるのに時間がかかるため工事期間が長引き、また、籠が重くなって吊り上げが困難になり工事コストが大きくなってしまう。特許文献４に開示されている技術を実際のふとん籠に応用すると、吊り上げ時の変形抑制を籠全体で担う必要があるため、吊り上げを行わないタイプの石詰籠に比べて金網を構成する鉄筋をかなり太くしなければならず、籠のコストが増大してしまうとともに籠が重くなって組み立て作業が困難になる。
【０００８】
本発明は、かかる点に鑑みてなされたものであり、その目的とするところは、吊り上げないタイプのふとん籠と同じ線径の金網で構成することができて吊り上げによる変形が非常に小さく、籠のコストも小さいふとん籠を提供することにある。
【課題を解決するための手段】
【０００９】
上記の課題を解決するために、本発明のふとん籠は、中詰め材を詰めた後に吊り上げて移動させるふとん籠であって、金網パネルを複数組み合わせて形成されており、ふとん籠の内側には棒鋼あるいは鉄線よりなる補強枠が複数配置されており、吊り上げる際には、前記補強枠に吊り上げ部材を掛けて吊り上げる構成を備えている。ここで棒鋼あるいは鉄線とは、ＪＩＳ  Ｇ  ３１１２，ＪＩＳ  Ｇ  ３５３２、ＪＩＳ  Ｇ  ３５４７に記載されている部材である。このような構成により、複数の補強枠によって吊り上げる際のふとん籠の変形を防ぐことができる。
【００１０】
前記補強枠は、矩形の外枠と、前記外枠の上辺を構成する上辺部材及び下辺を構成する下辺部材の両方に接続されている縦部材を複数備えていることが好ましい。前記縦部材は一つの補強枠に対して少なくとも３つ存していることがより好ましい。
【００１１】
前記縦部材には、前記上辺及び下辺の中央に接続される第１縦部材と、前記上辺側の接続位置が前記下辺側の接続位置よりも前記第１縦部材から遠い位置にある２つの第２縦部材とが含まれており、２つの前記第２縦部材の間に前記第１縦部材が存していることが好ましい。
【００１２】
前記補強枠の前記上辺のうち、前記外枠の前記側辺と前記第２縦部材との間の部分が前記吊り上げ部材が掛けられる吊られ部であることが好ましい。すなわち、前記吊り上げ部材は、前記上辺のうち前記外枠の側辺と前記第２縦部材との間の部分に掛けられることが好ましい。一つの補強枠に２つの吊られ部があることが好ましい。
【００１３】
前記金網パネルは溶接金網からなっていることが好ましい。
【発明の効果】
【００１４】
本発明のふとん籠は、溶接金網からなる金網パネルを組み合わせたふとん籠に複数の補強枠を配置することにより、簡単な構造であって且つ低コストで吊り上げ時の変形を抑制することができる。
【図面の簡単な説明】
【００１５】
【図１】実施形態１に係るふとん籠の正面図である。
【図２】実施形態１に係るふとん籠の側面図である。
【図３】実施形態１に係るふとん籠の上蓋を取り除いた上面図である。
【図４】図１のＡ−Ａ矢視図である。
【図５】図３のＢ−Ｂ矢視図である。
【図６】実施形態１に係る補強枠を示した図である。
【図７】実施形態１に係るふとん籠を吊り上げている図である。
【図８】実施形態２に係るふとん籠を吊り上げている図である。
【図９】別の補強枠を示した図である。
【図１０】他の補強枠を示した図である。
【図１１】さらに別の補強枠を示した図である。
【発明を実施するための形態】
【００１６】
以下、本発明の実施形態を図面に基づいて詳細に説明する。以下の図面においては、説明の簡潔化のため、実質的に同一の機能を有する構成要素を同一の参照符号で示す。
【００１７】
（実施形態１）
実施形態１に係るふとん籠を図１〜図７に示す。図１は正面図、図２は側面図である。ふとん籠を斜面の土留めに用いる場合、斜面と相対するのが背面１６であり、正面１０は背面１６の反対側の面である。背面１６は正面１０と同じ構成となる。図３は上蓋（上面１８）を取り除いたふとん籠を上から見た図である。図４は図１におけるＡ−Ａ矢視図であり、図を見やすくするため背後にある側面１２を省略している。図５は図３におけるＢ−Ｂ矢視図であり、図を見やすくするため背後にある背面１６を省略している。
【００１８】
本実施形態のふとん籠は溶接金網からなる矩形のパネル（溶接金網パネル）を組み合わせて、隣り合うパネル同士をコイル３０で接続している。すなわち、パネルの外縁（外枠）となる鉄線同士を平行に隣接させて並べ、それらの鉄線をコイル３０の螺旋内に入れることにより接続を行っている。
【００１９】
本実施形態では、正面１０、底面１４及び背面１６は、一つの溶接金網パネルを２箇所平行に折り曲げてコの字形にしたものにより構成されている。これによりふとん籠の部品点数を少なくでき、組み立て時間も短縮できてコストダウンにつながる。また、吊り上げ時の変形抑制にも有利な構造である。側面１２及び上面１８（上蓋）はそれぞれ一つの溶接金網パネルからなっている。
【００２０】
溶接金網からなる溶接金網パネルは、一般に線径３．２ｍｍ〜６ｍｍの鉄線から構成されており、複数の横線及び縦線を直角に交わるように配列させて、その交点を溶接して形成されており、表面に亜鉛アルミ合金めっきが施されている。コイル３０や、後述する補強枠２０やステー３２にも表面に亜鉛アルミ合金めっきが施されている。亜鉛アルミ合金めっきは耐食性が高いため、塩害がある地域での使用及び河川での使用にも適しているが、蛇籠やふとん籠に多く用いられている菱形金網には亜鉛めっきが一般的であり、溶接金網パネルを用いる本実施形態のふとん籠はこの点で優れた耐食性を有している。
【００２１】
ふとん籠の内部には３つの補強枠２０，２０，２０が配置されている。また、ステー３２が側面１２と底面１４との間に掛けられている。補強枠２０は吊り上げる際にふとん籠が変形しないように補強する役割を担っていると共に、正面１０と背面１６とが中詰め材の圧力によって外側へ膨らんでしまうのを防止している。ステー３２は側面１２が中詰め材の圧力によって外側へ膨らんでしまうのを防止している。補強枠２０，２０，２０は側面１２と平行に、両側面１２，１２間の中央と、その両側に配置されている。両側に配置された補強枠２０，２０は、中央の補強枠２０よりも側面１２に近い位置に配置されている。
【００２２】
補強枠２０は図６に示すように、矩形の外枠と第１縦部材２６及び第２縦部材２７，２７とからなっている。補強枠２０は、溶接金網パネルよりも線径が大きい、例えば９ｍｍ径の鉄線から構成されている。外枠は、ふとん籠が設置される際に上側に位置する上辺部材２１と、下側に位置する下辺部材２２と、上辺部材２１及び下辺部材２２との間にある２つの側辺部材２３，２３とからなっている。第１縦部材２６は上辺部材２１の中央と下辺部材２２の中央とに接続（溶接）されている。第２縦部材２７，２７は第１縦部材２６の両側に２つ存しており上辺部材２１及び下辺部材２２の両方に接続（溶接）されているが、上辺側の接続位置が下辺側の接続位置よりも第１縦部材２６から遠い位置にある。つまり、第２縦部材２７，２７は図４に示すように、上側の方が下側よりも正面１０又は背面１６に近い、斜めの配置になっている。上辺部材２１における第２縦部材２７と側辺２３との間の部分が、吊り上げ部材のフックが掛けられる吊られ部３５である。
【００２３】
ステー３２は、溶接金網パネルよりも線径が大きい、例えば８ｍｍ径の鉄線から構成されており、直線状の鉄線の両端が鈎状に曲げられた形状を有している。この鈎状の部分で溶接金網パネルの鉄線を引っかける。なお、底面１４側では補強枠２０の下辺部材２２にも引っかけられており、ステー３２による補強を強化している。
【００２４】
本実施形態のふとん籠に用いる溶接金網パネルは、吊り上げ用ではない、すなわち、設置現場において籠状に組み立てて中詰め材を詰め込むふとん籠用と同じ線径のものであり、補強枠２０がないと、中詰め材を詰めてクレーンで吊り上げると吊られる部分を中心に籠が変形してしまう。しかし本実施形態では、補強枠２０を用いることにより、吊り上げ時の変形を抑制するために溶接金網パネルの線径を過剰に太くする必要がなく、現場での組み立て用として既に使われている溶接金網パネルをそのまま使用できるので、低コストのふとん籠とすることができる。また、補強枠２０を追加するだけなので軽量なふとん籠にすることができ、この点でも製造および運搬、組み立ての面で低コストとすることができる。
【００２５】
中詰め材は、割り栗石や取り壊した構造物から発生するコンクリート破砕物などを利用することができる。
【００２６】
本実施形態のふとん籠の組み立て方法は以下の通りである。まず、正面１０、底面１４及び背面１６を構成するコの字形に折り曲げた溶接金網パネルと、側面１２を構成する溶接金網パネルとをコイル３０を用いて接続して箱形状に組み立てる。次に補強枠２０，２０，２０を箱形状の内部に入れて、コイル３０を用いて正面１０、底面１４及び背面１６を構成する溶接金網パネルと接続を行う。それからステー３２を側面１２と底面１４及び補強枠２０とに引っかけて補強を行う。次に、箱形状の内部に中詰め材を詰め込む。その後、上面１８となる溶接金網パネルを載せて、正面１０、側面１２、背面１６及び補強枠２０とコイル３０を用いて接続を行う。これで中詰め材を詰め込んだふとん籠が出来上がる。
【００２７】
図７は、中詰め材を詰め込んだ本実施形態のふとん籠を吊り上げている斜視図である。図を見やすくするため中詰め材を不図示としている。３つの補強枠２０，２０，２０の吊られ部３５に吊り上げ部材７０のフック７１，７１，・・を掛けて吊り上げている。吊られ部３５，３５は一つの補強枠２０に２つ存しているので、一つのふとん籠に対して６箇所フック７１，７１，・・を掛けることになる。
【００２８】
吊り上げ部材７０によってふとん籠を吊り上げて移動させ、設置場所に運んでも、ふとん籠にはほとんど変形が生じない。これは、溶接金網パネルに比べて線径が大きい補強枠２０にフック７１を掛けて吊り上げているからである。また、有限要素法により解析したところ、補強枠２０が図６に示す構造であると、上辺部材２１の変形が抑制されると共に、側辺部材２３が枠の内側に引き込まれる応力が発生し、この応力が、中詰め材が正面１０及び背面１６を外方へ膨らませようとする力と相殺されてふとん籠全体のとしての変形が防止される。
【００２９】
道路の脇に斜面が迫っている場合、その道路を造ったり補修したりする時に斜面の土留めをするのに本実施形態のふとん籠を用いると、ふとん籠を設置する場所が狭いため、別の広い場所で組み立て、中詰め材充填を行って運んでくることができ、その場で組み立てるふとん籠と比べて、工期を大幅に短くできる。そしてふとん籠の変形がほとんどないため、複数のふとん籠を隙間なく並べることができ、土留めの役割を十分発揮させることができる。また、特許文献に記載されているふとん籠に比べて、軽量、安価且つ早く作成できるので、低コスト且つ短工期とすることができる。
【００３０】
（実施形態２）
図８に示す実施形態２に係るふとん籠は、正面１０’の長さ（２つの側面１２，１２間の長さ）が実施形態１に係るふとん籠の６０％であって、補強枠２０が２つだけである点が実施形態１に係るふとん籠と異なっており、それ以外の構成、部材の構造・材料等は実施形態１と同じであるので、実施形態１と異なっている部分を主に以下に説明する。
【００３１】
本実施形態では、２つの補強枠２０，２０の位置は、２つの側面１２，１２間を３分割する位置よりもやや側面１２に近い位置となっている。この位置は、変形の抑制と吊り上げのしやすさの両方を考慮して決定されている。本実施形態では正面１０’の長さが小さいため、補強枠２０を２つにしても吊り上げ時における変形の抑制を十分に行うことができる。本実施形態に係るふとん籠も実施形態１と同様の効果を奏する。
【００３２】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００３３】
ふとん籠を構成する金網パネルは、溶接金網からなるものに限定されず、菱形金網からなる金網パネルであってもよい。菱形金網からなる金網パネルは、鉄線からなる外枠に菱形金網を張ったものである。
【００３４】
ふとん籠を構成する金網パネルの大きさ、構造、枚数、構成する線材の材質・径などは上記の実施形態に限定されない。正面、底面及び背面をそれぞれ１枚ずつのパネルで構成してもよいし、Ｌ字形に折り曲げた２つのパネルを組み合わせて（底面が２つのＬ字形パネルからなる）構成してもよい。また、ふとん籠自体の大きさも、吊り上げて移動することが可能であれば特に限定はされない。
【００３５】
ふとん籠の組み立て方法および中詰め材を詰め込んだふとん籠の吊り上げ・設置方法も実施形態の方法に限定されない。溶接金網パネル同士や補強枠との接続に用いる部材もコイルに限定されない。
【００３６】
１つのふとん籠に用いる補強枠の数は、２つ以上であれば特に限定されないが、コストの面から変形を抑制できる必要最小限の数が好ましい。ふとん籠の正面の長さ（側面間の長さ）が１．５ｍ以下の場合は補強枠を２つ、１．５ｍを超え２．５ｍ以下の場合は補強枠を３つとすることが好ましい。
【００３７】
補強枠としては、例えば図９〜１１に示す形態のものを用いることもできる。
【００３８】
図９の補強枠１２０は、実施形態１の補強枠２０に、さらに２本の第３縦部材２８，２８を加えたものである。第３縦部材２８は、第１縦部材２６と第２縦部材２７との間に配置され、上辺側の接続位置が下辺側の接続位置よりも第１縦部材２６に近い位置にある。この補強枠１２０の吊られ部３６は実施形態１の補強枠２０の吊られ部３５と同じ位置に存している。
【００３９】
図１０の補強枠１３０は、第１縦部材２６の両側に、第１縦部材２６と平行に第２縦部材６２と第３縦部材６１とが配置されている。第３縦部材６１は第１縦部材２６と第２縦部材６２との間に配置されており、上辺部材２１における側辺２３と第２縦部材６２との間の部分が吊られ部３７である。
【００４０】
図１１の補強枠１３０は、実施形態１の補強枠２０に、さらに第３縦部材６３，６３及び第４縦部材６７，６７をそれぞれ２本ずつ加えたものである。第３縦部材６３と第４縦部材６７とは第１縦部材２６と第２縦部材２７との間に配置されて、第３縦部材６３は第２縦部材２７に近い方であって第１縦部材２６と平行になっている。第４縦部材６７は第１縦部材２６に近い側に置かれて第２縦部材２７と略平行になっている。この補強枠１４０の吊られ部３８は実施形態１の補強枠２０の吊られ部３５と同じ位置に存している。
【００４１】
なお、補強枠の構造はこれら以外の構造であっても構わない。また、補強枠を構成する線材の材料や径等も特に限定されない。
【００４２】
また補強枠の配置も、正面に垂直に配置することに限定されず、例えば正面と平行にあるいは斜めに配置してもよい。
【産業上の利用可能性】
【００４３】
以上説明したように、本発明に係るふとん籠は、石を詰めた後に吊り上げてもほとんど変形しないので、護岸や土留め等として有用である。
【符号の説明】
【００４４】
２０          補強枠
２１          上辺部材
２２          下辺部材
２３          側辺
２６          第１縦部材
２７          第２縦部材
３５          吊られ部
３６          吊られ部
３７          吊られ部
３８          吊られ部
７０，７０’  吊り上げ部材
１２０        補強枠
１３０        補強枠
１４０        補強枠
【図１】
0006293008.tif 000002
【図２】
0006293008.tif 000003
【図３】
0006293008.tif 000004
【図４】
0006293008.tif 000005
【図５】
0006293008.tif 000006
【図６】
0006293008.tif 000007
【図７】
0006293008.tif 000008
【図８】
0006293008.tif 000009
【図９】
0006293008.tif 000010
【図１０】
0006293008.tif 000011
【図１１】
0006293008.tif 000012